(57)【特許請求の範囲】
【請求項１】
インクを噴射する記録ヘッドを往復移動させて被記録媒体に記録を行うインクジェット記録装置において、
前記記録ヘッドのノズル部のインクの乾燥を防止するための保存キャップと、
前記記録ヘッドの移動によって、前記記録ヘッドを搭載したキャリッジに設けられた突起部に押圧されて前記記録ヘッドの移動方向と同一方向に移動する被押圧部と、
その被押圧部の移動に伴って前記保存キャップを前記記録ヘッドのノズル部に対してキャッピィングする方向に移動させる方向変換手段と、
前記方向変換手段を介して前記保存キャップが前記記録ヘッドのノズル部にキャッピィングしたとき、前記突起部に押される前記被押圧部が、前記突起部と前記キャリッジに設けられた規制片との間に嵌まって挟持されるように構成されていることを特徴とするインクジェット記録装置。
【請求項２】
前記被押圧部が前記突起部と前記規制片との間に嵌まり込む方向は、前記記録ヘッドのノズル部に前記保存キャップがキャッピィングする方向と交差していることを特徴とする請求項１に記載のインクジェット記録装置。
【発明の詳細な説明】
【０００１】
【発明の属する技術分野】
本発明は、ファクシミリ装置や複写機等における被記録媒体に画像形成するための記録装置に係り、より詳しくは、待機させているとき、インクジェット式の記録ヘッドのノズル部が乾燥するのを防止する保存手段の構造に関するものである。
【０００２】
【従来の技術】
従来から、ファクシミリ装置や複写機等の画像形成装置において、被記録媒体としての用紙に画像を形成するための記録部として、インクを噴射する記録ヘッドを備えたものが周知である。
この種の記録ヘッドのノズル部が乾燥することによりインクの吐出不良が発生するの防止し、また記録ヘッドの状態を良好に保全するため、例えば、特開平９−１４１８８５号公報に開示されているように、被記録媒体の搬送方向と直交する方向に前記記録ヘッドを搭載したキャリッジを往復移動可能に構成する一方、前記被記録媒体への記録領域から外れた待機位置には、保存キャップを搭載した移動部材は、前記キャリッジの移動方向とほぼ平行状に移動可能で、且つ保存キャップが記録ヘッドのノズル部に対して接離するように回動可能に支持されており、さらに、前記移動部材は前記記録領域に近づく方向にバネ付勢されている。そして、前記待機位置に向かってキャリッジを移動させる動きに連れて、前記移動部材を前記バネの付勢力に抗して押し、このとき、移動部材は方向変換手段としてのカム部材により回動させられ、当該記録ヘッドのノズル部に向かって保存キャップが接近し、所定の待機位置で記録ヘッドが停止した時点で、前記ノズル部に保存キャップが完全に覆われるように同期させる構成が公知であった。
【０００３】
【発明が解決しようとする課題】
しかしながら、前記構成では、待機位置で停止したキャリッジに対して、前記移動部材が付勢バネにより一方向に押圧されているだけであるから、その押圧方向と反対の方向に移動部材が移動可能であるので、この種のインクジェット記録装置を運搬するとき等、装置に外力が作用した場合や、前記キャリッジから移動部材が離れる方向に装置を傾ける等した場合に、保存キャップが前記ノズル部から外れてしまい、記録ヘッドのノズル部の乾燥防止や保全の作用を果たせなくなるという問題があった。
【０００４】
本発明は、前記従来の問題を解決するためになされたものであり、装置への外力に拘らず、前記記録ヘッドのノズル部に保存キャップを被せた状態を保持できるようにしたインクジェット記録装置を提供することを目的とするものである。
【０００５】
【課題を解決するための手段】
この目的を達成するため、請求項１に記載した発明のインクジェット記録装置は、インクを噴射する記録ヘッドを往復移動させて被記録媒体に記録を行うインクジェット記録装置において、前記記録ヘッドのノズル部のインクの乾燥を防止するための保存キャップと、前記記録ヘッドの移動によって、前記記録ヘッドを搭載したキャリッジに設けられた突起部に押圧されて前記記録ヘッドの移動方向と同一方向に移動する被押圧部と、その被押圧部の移動に伴って前記保存キャップを前記記録ヘッドのノズル部に対してキャッピィングする方向に移動させる方向変換手段と、前記方向変換手段を介して前記保存キャップが前記記録ヘッドのノズル部にキャッピィングしたとき、前記突起部に押される前記被押圧部が、前記突起部と前記キャリッジに設けられた規制片との間に嵌まって挟持されるように構成されているものである。
【０００６】
また、請求項２に記載の発明は、請求項１に記載のインクジェット記録装置において、前記被押圧部が前記突起部と前記規制片との間に嵌まり込む方向は、前記記録ヘッドのノズル部に前記保存キャップがキャッピィングする方向と交差していることを特徴とするものである。
【０００７】
【０００８】
【０００９】
【発明の実施の形態】
次に、本発明を具体化した実施形態を図面に基づいて説明する。図１は本発明を適用するインクジェット記録装置２を備えたファクシミリ装置１の斜視図、図２はファクシミリ装置１の概略側断面図、図３はキャリッジの移動手段及びメインテナンス部を示す概略平面図、図４はインクジェット記録装置の側面図、図５はメインテナンス部の平面図、図６は要部の拡大断面図である。
【００１０】
ファクシミリ装置１の本体ケースは、図１及び図２に示すように、インクジェット記録装置２を収納し、且つ画像を形成するための用紙Ｐを供給するための給紙カセット３を後側の上方から装着することのできる合成樹脂製のメイン下ケース１ａと、該メイン下ケース１ａの上側を覆う合成樹脂製の上ケース１ｂとからなる。上ケース１ｂは、その前後方向の中途部から左右両外側に突出する筒軸部４（図２において片側のみ示す）を中心にして大きく上下回動できるように、メイン下ケース１ａの側部のブラケットに枢着されている。
【００１１】
そして、一方の金属製のブラケットに一端が係止され、コイル部が筒軸部４の外周に巻回され、他端が上ケース１ｂにおける金属製のシャーシ等の適宜箇所に係止された金属製の捩じりばね（図示せず）により、上ケース１ｂの上面が前方向に向かうように付勢され、通常は、図示しないフックにより、上ケース１ｂはその上面が上を向くように固定されている。
【００１２】
さらに、上ケース１ｂの上面の前寄り部位には、原稿読取部としての原稿読取ユニット５が装着され、該原稿読取ユニット５の上側を、操作パネル部６にて覆う。表面に各種ファンクションキーやテンキー等の操作キー部６ａと、前記操作キー部６ａでの入力値や、各種の指令用の文字（キャラクタ）が表示できる液晶パネル等の表示部６ｂとを備えた操作パネル部６は、その後部寄り部位の左右両側の枢支軸７を中心にして前側が大きく上下回動できるように構成されている。また、上ケース１ｂの上面の後部寄りには、前記操作パネル部６の後端に隣接して、原稿載置部９が一体的に形成され、該原稿載置部９には、搬送される原稿の左右両側縁を案内するための左右一対の原稿ガイド体１０，１０が同期して左右移動可能に装着されている。
【００１３】
なお、メイン下ケース１ａの下面は金属板等からなる底カバー板１１にて塞がれ、メイン下ケース１ａの内部空間には、図示しないが、制御基板、電源基板、電話回線を介して他の電話装置やファクシミリ装置との間で会話やファクシミリデータの送受信を可能にするためのＮＣＵ（ネットワークコントロールユニット）基板等が位置されている。さらに、メイン下ケース１ａの側部から外向きに突設した受け台１２上に、他の電話装置との会話を行うための送受話器（ハンドセット）８が載置されている。発呼用のスピーカ（図示せず）は、メイン下ケース１ａ内の右側面の後部側等に固定されている。
【００１４】
図２に示すように、原稿読取ユニット５のユニットケース５ａには、原稿載置部９の近傍に配置される原稿分離送りローラ２８ａと、横長の密着型イメージセンサ（ＣＩＳ）２９と、その搬送上流側に配置される搬送ローラ対３０と、搬送下流側に配置される搬送ローラ対３１と、前記各ローラ２８ａ，２９，３０を駆動するための駆動モータと歯車列とがフレーム内に収納された原稿搬送系駆動ユニットとが備えられている。そして、枢支軸７を中心にして前側が大きく上下回動できるように構成された操作パネル部６の下面側には、前記ユニットケース５ａの上面を覆った状態のとき、前記原稿分離送りローラ２８ａの上面に当接する分離パッド２８ｂと、前記密着型イメージセンサ２９の上面に当接する下面が白色に塗布される等した押圧板３２とが備えられており、操作パネル部６上面のキー操作等による原稿読取り指令に応じて、原稿載置部９上の原稿は、前記原稿分離送りローラ２８ａ及び分離パッド２８ｂを介して１枚ずつ分離して送られ、原稿が前記押圧板３２とＣＩＳ２９の上面との間を通過するとき、原稿の画像が読み取られるように構成されている。
【００１５】
なお、前記給紙カセット３に積層された用紙Ｐは、メイン下ケース１ａの後部内に配置された図示しないが従来から周知の構造の給紙機構としての間欠回転する回転する給紙ローラと分離パッドとによって１枚ずつ分離され、分離された用紙Ｐは、レジストローラ（図示せず）の箇所にて一旦用紙の先端の位置を整えて、搬送上流側ローラ３３にて記録ヘッド１４の下方に給送され、搬送下流側の上下対の搬送ローラ対３４にて挟持搬送される途次、印字指令に応じてインク滴を用紙Ｐの上面に吐出して画像を記録し、その後、排紙トレイ２７の箇所に排出されるように構成されている。
【００１６】
図２、図３、図４及び図５に示すように、インクジェット記録装置２におけるキャリッジ１８はその下部が左右長手のシャーシフレーム１６に装架された丸軸状のガイド軸１７に軸支され、シャーシフレーム１６の縦案内片１６ａに上部が摺接して左右移動可能に構成されている。そして、このキャリッジ１８にカラーインクジェット式の記録ヘッド１４がそのノズル部１５を下向きにして装着されている。カラー記録を実行するための記録ヘッド１４は、シアン、イエロー、マゼンタ、ブラックの各色のインクを吐出するための４つのノズル部を有し、この各記録ヘッド１４に対して供給するインクが収納された各色毎のカートリッジ１９がキャリッジ１８にそれぞれ着脱可能に装着される。
【００１７】
キャリッジ１８の送り機構は、前記ガイド軸１７と平行に延びる無端帯としてのタイミングベルト２０が、シャーシフレーム１６の一側寄りに配置された従動プーリ２１と正逆回転可能なステッピングモータ等のキャリッジ駆動モータ２２の出力軸に固定された駆動プーリ２３とに巻掛けられ、タイミングベルト２０の一箇所を前記キャリッジ１８に連結することにより、当該キャリッジ１８はガイド軸１７と平行に往復移動可能となるように構成されている。
【００１８】
次に、メインテナンス部２９と、待機位置における保存手段３５との構成の詳細について、図３、図５〜図８を参照しながら説明すると、例えば図３に示す実施例において、キャリッジ１８が右方向へ移動することにより記録領域から外れるものとし、左右長手のシャーシフレーム１６の右端部位に、メインテナンス部２９と保存手段３５とを集合させて配置するため、フレーム支持片１６ｂ，１６ｃに対して図５の平面視図に示すような合成樹脂製の集合ケース３６をビス４４にて固定する。集合ケース３６の左端側には、記録ヘッド１４のノズル部の表面に付着したインク滴を払拭するためのノズル払拭装置（ワイパ装置）３７が配置され、その右側に隣接して記録ヘッド１４のインクの不吐出もしくは吐出不良を回復させるためのパージ装置（ノズル吸引装置）３８が配置され、その右側〔パージ装置３８からさらに記録領域の反対側の待機位置（ホームポジション）〕には、記録ヘッド１４のノズル部１５の数（実施例では４つ）と同じ数の保存キャップ３９を備えた保存手段３５が配置されている。
【００１９】
即ち、前記各保存キャップ３９を支持する保存キャップ移動手段としての合成樹脂製の枠状の移動部材４０が、集合ケース３６に一体的に形成され、キャリッジ１８の移動方向と平行状に形成された丸軸４１に沿って移動可能且つその軸線回りに回動可能に装着されている。前記軟質ゴム製の各保存キャップ３９を支持する支持体４２が移動部材４０の枠内で上向き抜け不能且つ上下動可能に装着され、付勢バネ４３を介して上向きに付勢されている（図６参照）。
【００２０】
そして、枠状の移動部材４０における回動基端部４０ａには、上向きに被押圧部４５を一体的に突出形成する一方（図８、図１１（ａ）〜図１１（ｄ）参照）、キャリッジ１８の下面側には、図６及び図１１（ａ）〜図１１（ｄ）に示すように、突起部４６と規制片４７とを横向きで、且つ段違い状にて被押圧部４５に向かうように二股状に突設してあり、突起部４６と規制片４７との隙間間隔Ｌ１は被押圧部４５の幅寸法と略等しく形成され、後述の待機位置では被押圧部４５の前後縁を突起部４６と規制片４７とで挟持される構成となっている。
【００２１】
キャリッジ１８を待機位置（ホームポジション）方向（矢印Ａ方向）移動させるとき、押圧部４６にて被押圧部４５を押すなど係合させて、移動部材４０を丸軸４１に沿って摺動移動させる。このとき、当該移動部材４０における回動基端部４０ａの下面側に下向きに突設する摺動片４８と対峙するように、集合ケース３６の箇所には方向変換手段としてのカム板４９を設ける。このカム板４９の形状は、矢印Ａ方向への移動部材４０の移動に基づいて、前記保存キャップ３９を前記キャリッジ１８の移動方向と略直交する方向に移動させて、前記待機位置では、各保存キャップ３９が前記各ノズル部１５を下側から覆ってキャッピィングするように形成されている（図６の二点鎖線状態参照）。
【００２２】
また、集合ケース３６と移動部材４０との間に付勢手段としての引張バネ５０が装架されており、矢印Ａ方向への移動部材４０の移動量が増大するにつれて、反矢印Ａ方向への復帰力が増大するように付勢されている。
キャリッジ１８における突起部４６にて被押圧部４５を矢印Ａ方向に押し始めるときには（図８の状態参照）、図１１（ａ）及び図１１（ｂ）に示すごとく、規制片４７は被押圧部４５に干渉しない。
【００２３】
図１０に示すように、さらに、カム板４９に沿って摺動片４８上側に移動すると、移動部材４０が上向き回動し、各保存キャップ３９を前記キャリッジ１８の移動方向と略直交する方向に移動させ、図６の二点鎖線で示すキャッピィング状態では、図１１（ｃ）及び図１１（ｄ）に示すごとく、規制手段としての規制片４７と前押圧部４６との間に被押圧部４５が嵌まり込む。これにより、当該待機位置にてキャリッジ１８が停止している限り、被押圧部４５、ひいては移動部材４０と、キャリッジ１８ひいては各記録ヘッド１４のノズル部１５との相対的な移動が規制され、ずれ動くことが無くなる。従って、ファクシミリ装置１を運搬するとき等で傾いても、前記各ノズル部１５から保存キャップ３９が外れることが無くなるのである。
【００２４】
なお、上記の説明から理解できるように、前記待機位置から反矢印Ａ方向にリターンして、記録領域に戻るときには、前記各ノズル部１５から保存キャップ３９が外れるように、引張ばね５０の付勢力にて移動部材４０を回動しつつ元の姿勢に戻す。また、この引張ばね５０は、摺動片４８がカム板４９を常時押圧する方向にも付勢されているので、前記丸軸４１の軸線回りに移動部材４０がふらつくこともないのである。
【００２５】
次に、ノズル払拭装置（ワイパ装置）３７及び吸引手段としてのパージ装置３８の構成について説明する。記録ヘッド１４は、その使用中にノズル部１５内に気泡が発生したり、吐出面にインクの液滴が付着することにより、吐出不良を起すことがあるので、これを解消して良好な吐出状態に回復させるため、パージ装置３８では、記録ヘッド１４のノズル部１５を吸引キャップ５３にて覆い、その状態で、吸引ポンプ５４が発生させる負圧により記録ヘッド１４内の不良インクを吸引する。また、記録ヘッド１４あるいはインクカートリッジ１９を交換した際にも作動され、カートリッジ１９内のインクが記録ヘッド１４のノズル部１５まで吸い出され円滑に供給されるように機能する。吸引された不良インクは、図示しない貯留部に送られる。
【００２６】
パージ装置３８の構成についてさらに詳述すると、図５〜図１０に示すごとく、集合ケース３６の一側部（記録領域外であって近い側）に、吸引キャップ５３が収納された昇降部材５５が昇降動可能に装着されている（図９参照）。吸引キャップ５３と吸引ポンプ５４とは吸引チューブ６１にて接続されている。図示しないが、被記録媒体である用紙Ｐの搬送のためのラインフイードモータを駆動源とし、駆動力切換手段を介して回転されるギヤ５７によりカム体５６が駆動される。このカム体５６の一側面に形成された吸引昇降カム溝５８に前記昇降部材５５の足下端の摺動部５５ａが嵌合する一方、同じくカム体５６の他側面と対峙して配置された吸引ポンプ５４の２つのピストンロッドの下端係合部６２ａ，６３ａは、前記カム体５６の他側面に形成された２つのポンプカム溝５９，６０にそれぞれ嵌合し、カム体５６が一回転する間に、昇降部材５５が上昇して吸引キャップ５３が記録ヘッド１４のノズル部１５に密接して、吸引ポンプ５４の負圧にてインクの吸引を実行した後、吸引キャップ５３が離れるように昇降部材５５が下降する。
【００２７】
ノズル払拭装置３７は、前記パージ装置３８に隣接し、且つ記録領域外であって近い側の集合ケース３６内に配置され、軟質ゴム、軟質合成樹脂材等の弾性体からなる薄板状のワイパー体６４を支持するワイパー昇降部材６５の下端係合部６５ａは、前記カム体５６の片面のワイパーカム溝６６に嵌合し、カム体５６が一回転する間に前記吸引キャップ５３による所定のメインテナンス動作に同期して記録ヘッド１４のノズル部１５をワイパー体６４で払拭する動作と昇降動作とを実行するものである。なお、インク吸引作業とワイパー作業とは、記録ヘッド１４の複数のノズル部１５について、１箇所ずつ行われる。
【００２８】
この場合、図７に示すように、集合ケース３６に配置されたロックレバー６８は、その回動中心部６８ａの回りに回動自在であり、ロックレバー６８の凸部６８ｂが前記カム体５６の外周カム面６７（図９参照）に摺動するように、バネ６９にて付勢されており、前記キャリッジ１８がノズル部１５の配置間隔毎に停止するとき、前記カム体５６の所定の回転位相で、当該キャリッジ１８の下面に形成された凹溝状の係合部１８ａ（図６、図７参照）にロックレバー６８の先端部６８ｃが嵌まり係合して、キャリッジ１８が移動しないように規制されている。
【００２９】
上記のように、前記記録領域外に設けられたノズル払拭装置３７及び吸引手段としてのパージ装置３８に隣接して、ノズル部保護手段としての前記保存キャップ３９及び保存キャップ移動手段としての移動部材４０が配置されていると、長期間インクジェット記録装置２を使用しなかったとき、各ノズル部１５にインクが詰まる等してインク吐出不良が発生していても、記録作業の開始のためキャリッジ１８を少しだけ移動させるだけで、前記待機位置に隣接する吸引箇所に記録ヘッドを記録領域方向に、各ノズル部１５の間隔毎に間欠移動させて、各ノズル部１５のインク吐出不良のメインテナンスを実行でき、迅速に記録作業に移行できるという効果を奏する。
【００３０】
また、移動部材４０が吸引手段の方向に近づき移動するとき、自動的に各保存キャップ３９が各ノズル部１５から離れるように構成されているので、キャリッジ１８を記録領域方向に移動させるのに、ロック解除のための余分の部品も必要がなく構成が簡単になるという効果を奏するものである。
なお、本発明に係るファクシミリ装置１は、操作パネル部６における各種キー操作に応じて入力される使用者からの各種指令に応じて、各種処理動作の設定、原稿読取ユニット５による原稿画像の読み取り、原稿画像の送信データ化、送信データの符号化、電話回線等の通信回線を介して他のファクシミリ装置に送信するファクシミリデータの送受信、受信データの復号化、復号化したファクシミリデータの記録ユニットでの用紙Ｐへの記録を実行するという通常のファクシミリ機能の他、原稿読取ユニット５のＣＩＳ（密着型イメージセンサ）３４による原稿読取りと記録部の各ユニットによる用紙Ｐへカラー画像形成するというコピー（複写）処理機能、図示しないパーソナルコンピュータ等の外部装置からプリンタケーブルまたは赤外線等の無線を介して伝送されたプリントデータを受けて、そのデータに応じて用紙Ｐにカラー画像を形成するプリンタ処理機能、前記原稿読取ユニット５を使って読み取った画像データを前記外部装置へ送信するというスキャナ処理機能をも備えている。
【００３１】
本発明は、インクジェット式の記録ヘッドを備えたプリンタにも適用できることはいうまでもない。
【００３２】
【発明の効果】
以上に説明したように、請求項１に記載した発明の構成によれば、前記記録ヘッドの移動によって、前記記録ヘッドを搭載したキャリッジに設けられた突起部に押圧されて前記記録ヘッドの移動方向と同一方向に移動する被押圧部と、その被押圧部の移動に伴って前記保存キャップを前記記録ヘッドのノズル部に対してキャッピィングする方向に移動させる方向変換手段とを有するので、記録ヘッドもしくは記録ヘッドを搭載したキャリッジの移動に伴って保存キャップを記録ヘッドのノズル部に対してキャッピィングする方向に移動させるので、キャリッジの移動と保存キャップの記録ヘッド方向への移動の開始とが確実に同期して行われ、キャリッジと保存キャップの動作のタイミングを正確にすることができる。そして、保存キャップによるノズル部へのキャッピィングのために別途の駆動源を必要としないので装置の構成を簡素化し、且つコスト低減に寄与できるという効果を奏する。さらに、前記方向変換手段を介して前記保存キャップが前記記録ヘッドのノズル部にキャッピィングしたとき、前記突起部に押される前記被押圧部が、前記突起部と前記キャリッジに設けられた規制片との間に嵌まって挟持されるように構成されているので、保存キャップが前記ノズル部にキャッピィングしたとき、前記保存キャップが前記記録ヘッドもしくはキャリッジに対して相対移動するのを規制するので、インクジェット記録装置を運搬する等して揺り動かしても、前記各ノズル部に対して保存キャップがずれ移動せず、ノズル部の乾燥防止、保護を確実に行えるという効果を奏する。そして、被押圧部が突起部と規制片との間に嵌まって、保存キャップがノズル部を覆っている状態を保持するので、キャッピィング効果を失うことがない。また、キャリッジ側に突起部と規制片とを設けるだけの構成であるから構造が至極簡単で製造コストも高くならないという効果を奏する。
【００３３】
また、請求項２に記載の発明によれば、前記被押圧部が前記突起部と前記規制片との間に嵌まり込む方向は、前記記録ヘッドのノズル部に前記保存キャップがキャッピィングする方向と交差しているので、前記キャリッジに設けた突起部にて移動部材が押されて、移動部材とキャリッジとが略同一方向に移動すると共に、方向変換手段により前記保存キャップを前記キャリッジの移動方向と略直交する方向に移動させて、保存キャップがノズル部を覆うように移動することができ、キャリッジの移動と保存キャップのキャッピィング動作とのタイミングが正確にでき、迅速且つ確実なキャッピィングを実行することができるという効果を奏する。
【００３４】
【００３５】
【００３６】
【図面の簡単な説明】
【図１】  ファクシミリ装置の斜視図である。
【図２】  ファクシミリ装置の概略側断面図である。
【図３】  インクジェット記録装置の概略平面図である。
【図４】  インクジェット記録装置の側断面図である。
【図５】  メインテナンス部及び保存手段の平面図である。
【図６】  図５のVI−VI線矢視一部切欠き側面図である。
【図７】  図５のVII −VII 線矢視一部切欠き側面図である。
【図８】  図５の VIII −VIII矢視図である。
【図９】  カム体とノズル払拭装置、吸引手段、吸引ポンプとの係合関係を示す要部断面図である。
【図１０】  移動部材が移動規制された状態を示すための、図８と同じ方向から見た一部切欠き図である。
【図１１】  （ａ）はキャリッジが待機位置に接近したときの、突起部と被押圧部と規制片との関係を示す作用説明図、（ｂ）は図１１（ａ）のXIｂ−XIｂ線矢視図、（ｃ）は保存キャップによるキャッピィング完了位置での、突起部と被押圧部と規制片との関係を示す作用説明図、（ｄ）は図１１（ｃ）のXIｄ−XIｄ線矢視図である。
【符号の説明】
２        インクジェット記録装置
１８        キャリッジ
１４        記録ヘッド
１５        ノズル部
３５        保存手段
３６        集合ケース
３９        保存キャップ
４０        移動部材
４０ａ      回動基端部
４１        丸軸
４２        支持体
４５        被押圧部
４６        突起部
４７        規制片
４８        摺動片
４９        カム板
５０        引張バネ
【図１】
0004174635.tif 000002
【図２】
0004174635.tif 000003
【図３】
0004174635.tif 000004
【図４】
0004174635.tif 000005
【図５】
0004174635.tif 000006
【図６】
0004174635.tif 000007
【図７】
0004174635.tif 000008
【図８】
0004174635.tif 000009
【図９】
0004174635.tif 000010
【図１０】
0004174635.tif 000011
【図１１】
0004174635.tif 000012